(57)【要約】【課題】電磁波のシールド性能の向上を図るのに有効なファスナー構造の提供を目的とする。【解決手段】第１スライドファスナーと第２スライドファスナーとを二重に備え、前記第１スライドファスナーの第１開閉線と、前記第２スライドファスナーの第２開閉線とが平行で且つ左右に位置をずらして配置されているとともに、前記第１スライドファスナーと第２スライドファスナーとの間に帯状の電磁波遮蔽片を有することを特徴とする。【選択図】  図１
2020096133.tif 000002
【特許請求の範囲】
【請求項１】
第１スライドファスナーと第２スライドファスナーとを二重に備え、
前記第１スライドファスナーの第１開閉線と、前記第２スライドファスナーの第２開閉線とが平行で且つ左右に位置をずらして配置されているとともに、前記第１スライドファスナーと第２スライドファスナーとの間に帯状の電磁波遮蔽片を有することを特徴とする電磁波遮蔽ファスナー構造。
【請求項２】
前記帯状の電磁波遮蔽片は左右一対の第１電磁波遮蔽片と第２電磁波遮蔽片とからなり、スライドファスナーを閉じた状態では前記第１及び第２電磁波遮蔽片が相互に一部重なるものであることを特徴とする請求項１記載の電磁波遮蔽ファスナー構造。
【発明の詳細な説明】
【技術分野】
【０００１】
本発明は、電磁波遮蔽性能を有するファスナー構造に関する。
【背景技術】
【０００２】
電子機器や医療機器を持ち運ぶ際に、電磁波の影響を受けないように電磁波遮蔽ボックスを用いたり、簡易電波測定用に電磁波シールドテントを用いたり、あるいは電磁波の影響を受けないように仕切った研究開発現場を設けることがある。
このような場合に、電磁波に対してシールド効果を有する導電性のボックス，容器，テント，仕切布等が用いられているが、機器の出し入れや人の出入りが可能になるように、開閉自在のスライドファスナーが採用されている場合がある。
しかし、スライドファスナーは、左右一対のテープの端部に複数のエレメントを相互に配置し、この左右のエレメントの務歯頭部同士の噛み合せをスライダーで開閉する構造になっているために、このエレメントの噛合部から電磁波が漏れる問題があった。
【０００３】
例えば特許文献１には、２つのファスナーを平行にずれた位置に設けた磁気遮蔽装置を開示する。
しかし、２つのファスナーを単に重ね合せた構造にあっては、エレメントの開閉線が左右にずれていたとしても、電磁波は上下の開閉線をいわば斜めに漏れるので、そのシールド効果が不充分であった。
特許文献２には、面ファスナーを重ね合せてシールド用チューブを形成する技術を開示するが、面ファスナーの重ね合せでは開閉操作が大変である。
【先行技術文献】
【特許文献】
【０００４】
【特許文献１】実開平１−１６１３９９号公報
【特許文献２】実開平７−３１９４号公報
【発明の概要】
【発明が解決しようとする課題】
【０００５】
本発明は、電磁波のシールド性能の向上を図るのに有効なファスナー構造の提供を目的とする。
【課題を解決するための手段】
【０００６】
本発明に係る電磁波遮蔽ファスナー構造は、第１スライドファスナーと第２スライドファスナーとを二重に備え、前記第１スライドファスナーの第１開閉線と、前記第２スライドファスナーの第２開閉線とが平行で且つ左右に位置をずらして配置されているとともに、前記第１スライドファスナーと第２スライドファスナーとの間に帯状の電磁波遮蔽片を有することを特徴とする。
ここで、スライドファスナーは開閉にスライダーを用いたものであれば、ファスナー構造に制限はない。
【０００７】
ここで、帯状の電磁波遮蔽片は左右一対の第１電磁波遮蔽片と第２電磁波遮蔽片とからなり、スライドファスナーを閉じた状態では前記第１及び第２電磁波遮蔽片が相互に一部重なるものであるのが、さらに好ましい。
この場合には、第１電磁波遮蔽片を左右一対のテープのうち、一方のテープ側に設け、第２電磁波遮蔽片を他のテープ側に設けることになる。
【発明の効果】
【０００８】
本発明に係るファスナー構造にあっては、２つのスライドファスナーを平行で且つ、位置がずれるように二重に配置するとともに、その間に電磁波遮蔽片を設けたので、電磁波のシールド効果に優れる。
また、ファスナーとして、スライダーで開閉できるスライドファスナーを採用したことにより、従来の面ファスナーの重ね合せ構造に比較して、開閉操作が容易である。
【図面の簡単な説明】
【０００９】
【図１】本発明に係る電磁波遮蔽ファスナーの構造の実施例１を示す。
【図２】（ａ）〜（ｃ）はファスナーの取付順を示す。
【図３】ファスナーの部品構造例を示す。
【図４】本発明の実施例２を示す。
【図５】実施例２の組付順を（ａ）〜（ｄ）に示す。
【図６】実施例２の部品構成例を示す。
【図７】シールドの試験方法を示す。
【図８】シールドの測定結果を示す。
【発明を実施するための形態】
【００１０】
本発明に係るファスナーの構造例を以下、図に基づいて説明する。
【００１１】
図１〜３に実施例１を示す。
本発明に係る電磁波遮蔽ファスナーは、図１に示すように第１スライドファスナー１０の第１開閉線１１に対して、第２スライドファスナー２０をその開閉線２１が先の第１スライドファスナー１０の開閉線１１とは平行であって、左右に位置をずらして二重に配置してある。
この第１スライドファスナー１０と、第２スライドファスナー２０との間であって、第１開閉線１１と第２開閉線２１とに重なるように、帯状の電磁波遮蔽片３０を配置してある。
【００１２】
その構成例を図２，３に示してある。
第１スライドファスナー１０は、第１テープＬ１２の端部に取り付けた複数のエレメント１２ａと、第１テープＲ１３の端部に取り付けた複数のエレメント１３ａとが第１スライダー１４のスライドにより、相互に噛み合ったり、開放されたりする。
スライドファスナーは、線ファスナーとも称される。
この中心線を第１開閉線１１と表現する。
この左右の第１テープＬ，Ｒのどちらか一方に、帯状の第１電磁波遮蔽片３０の端部を縫合する。
次に、この第１電磁波遮蔽片３０を上側から覆うように、第２スライドファスナー２０を縫合する。
第２スライドファスナー２０は、第１スライドファスナー１０と同様であり、第２テープＬ２２の端部に取り付けた複数のエレメント２２ａと、第２テープＲ２３の端部に取り付けたエレメント２３ａとが、第２スライダー２４にて開閉するようになっていて、この開閉線を第２開閉線２１と表現する。
第１開閉線１１と第２開閉線２１とは平行であって、左右に位置がずれている。
図１は、第１電磁波遮蔽片３０の一部を切り欠いて、第１スライドファスナー１０が見え、第２スライドファスナー２０の第２テープＲ２３の一部を切り欠いて、その下側が見えるように記載した。
【００１３】
本発明においては、第１スライドファスナー１０及び第２スライドファスナー２０を構成する左右のテープ，エレメント，スライダー等は、導電性であるのが好ましい。
左右のテープは、導電性の繊維が用いられ、第１電磁波遮蔽片３０も導電性の繊維からなるのが好ましい。
【００１４】
実施例２を図４〜６に示す。
実施例１との相違点を中心に説明する。
実施例１は、一枚の帯状の第１電磁波遮蔽片３０であったのに対して、実施例２は図５（ａ）に示すように、第１テープＲ１３の表面に帯状の第２電磁波遮蔽片４０の図５にて右側の端部を縫合し、左側の第１テープＬ１２側に第１電磁波遮蔽片３０の左端部を縫合することで、ファスナーを閉じた際に、第１電磁波遮蔽片３０と第２電磁波遮蔽片４０とが一部重なるように配置した。
【００１５】
本発明に係るスライドファスナー構造と、従来の二重ファスナー構造とのシールド効果を比較測定したので、以下説明する。
図７（ａ）に示すように、スライドファスナーによる開口部を形成した袋体の中に、発信器を入れ、スライドファスナーを閉じ、図７（ｂ）に示すように外部に漏れる電磁波の強度を測定した。
その測定結果を図８の表に示す。
発信器から発生する電磁波の強度に対して、外側にどれだけ下がったかを測定（単位ｄｂ）した。
本発明品は実施例２に相当し、従来品は平行で位置をずらした二重ファスナーの場合である。
測定周波数２．４ＧＨｚでは、従来品が−７２ｄｂであったのに対して、本発明品はシールド効果が大きく、計測できない状態であった（計測不可）。
測定周波数５ＧＨｚにおいては、従来品が−７０ｄｂであったのに対して、本発明品はそれよりもシールド効果が大きい−９２ｄｂであった。
これにより、本発明品は、従来品よりもシールド効果が高いことが確認できた。
【００１６】
本発明に用いる第１電磁波遮蔽片３０や第２電磁波遮蔽片４０は、位置をずらして配置した二重のスライドファスナーの間を塞ぐようにするのが目的である。
そこで、第１及び第２電磁波遮蔽片は厚みを有すると、それだけ遮蔽効果が高くなる。
例えば、遮蔽片を二重にしたり、袋状にし、その中にスポンジシート等の弾性材を挿入してもよい。
また、遮蔽片にスポンジシート等を貼り合せてもよい。
【符号の説明】
【００１７】
１０      第１スライドファスナー
１１      第１開閉線
１２      第１テープＬ
１２ａ    エレメント
１３      第１テープＲ
１３ａ    エレメント
１４      第１スライダー
２０      第２スライドファスナー
２１      第２開閉線
２２      第２テープＬ
２２ａ    エレメント
２３      第２テープＲ
２３ａ    エレメント
２４      第２スライダー
３０      第１電磁波遮蔽片
４０      第２電磁波遮蔽片
【図１】
2020096133.tif 000003
【図２】
2020096133.tif 000004
【図３】
2020096133.tif 000005
【図４】
2020096133.tif 000006
【図５】
2020096133.tif 000007
【図６】
2020096133.tif 000008
【図７】
2020096133.tif 000009
【図８】
2020096133.tif 000010